(57)【要約】【課題】  被乾燥面上方の空気の昇温と換気の双方を効率良く行える乾燥装置の提供を課題とする。【解決手段】  塗装面に熱線を照射する照射装置と、塗装面の外周部に対応して配置された複数の噴射ノズルと、この噴射ノズルに空気を送り込む送風機と、噴射ノズルに設けられた開閉弁と、この開閉弁を操作して塗装面外周部への空気の噴射を一時中断する制御装置とを備える。【選択図】  図１２
2005172382.tif 000002
【特許請求の範囲】
【請求項１】
被乾燥面に熱線を照射する照射装置と、被乾燥面の外周部に対応して配置された噴射ノズルと、この噴射ノズルに空気を送り込む送風機と、前記送風機から前記噴射ノズルの開口端を含む経路中に配置された開閉弁と、前記開閉弁を操作して前記被乾燥面外周部への空気の噴射を一時制限する制御装置とを備えることを特徴とする乾燥装置。
【請求項２】
前記噴射ノズルは、被乾燥面の外周部と被乾燥面の中央部の双方に対応して配置され、
前記制御装置は、被乾燥面の外周部に対応して配置された噴射ノズルによる空気の噴射を制限するとき、前記被乾燥面の中央部に対応して配置された噴射ノズルによる空気の噴射を実行するように前記開閉弁を制御することを特徴とする請求項１に記載の乾燥装置。
【請求項３】
前記制御装置は、前記被乾燥面の中央部への空気の噴射時において、その噴射が間欠した噴射となるように前記開閉弁を制御することを特徴とする請求項２に記載の乾燥装置。
【請求項４】
前記送風機は、吸引した空気を外周部に吐出する回転翼と、この回転翼の外周部を囲むハウジングと、前記吸引した空気を前記回転翼とハウジングの間に確保された幅狭の空隙を通路として前記噴射ノズルに導く通気路とを備えることを特徴とする請求項１から３の何れかに記載の乾燥装置。
【請求項５】
前記回転翼は、この回転翼の各翼端に連設された外周壁と、この外周壁の周方向に向かって複数設けられた吐出口と、この外周壁からハウジング側に突出して設けられた加圧翼とを備え、
前記加圧翼の端面は、前記外周壁とハウジングとの間に充たされる空気を前記回転翼の回転時に前記ハウジング側に更に押圧する方向に傾斜していることを特徴とする請求項４に記載の乾燥装置。
【請求項６】
前記照射装置は、熱線を発する発熱体と、この発熱体から発せられる熱線を前記被乾燥面に向かって反射する反射板と、前記反射板を支持すると共にこの反射板の背後に外部と隔離された空間を形成する背面板とを有する照射装置をさらに備え、
前記通気路は、前記反射板の背後に設けられた空間を通り、前記噴射ノズルは、前記反射板を貫通して、この反射板背後の通気路に連通していることを特徴とする請求項１から５の何れかに記載の乾燥装置。
【発明の詳細な説明】
【技術分野】
【０００１】
本発明は、乾燥装置に関し、より詳細には、被乾燥面への送風によって乾燥を促進させる送風機を備えた乾燥装置に関する。
【背景技術】
【０００２】
この種の乾燥装置として、例えば、下記特許文献に示す乾燥装置が知られている。
この乾燥装置は、移動式のスタンドに支持された赤外線加熱部と、赤外線加熱部の上方或いは下方に付設された送風装置とを備えている。また、塗装面に赤外線を照射すると共に塗装面に低速で風を送り出して塗装面上方の換気を促し、溶剤の揮発を促進させている。
【特許文献１】特開平８−２７８０８０号公報
【発明の開示】
【発明が解決しようとする課題】
【０００３】
ところで、従来の乾燥装置は、上述の如く被乾燥面（塗装面）の上方の空気の換気を促して溶剤の揮発を促進させるため、赤外線の照射によって暖められた空気もこの換気によって被乾燥面の上方から排気されてしまう。このため空気の昇温を利用した乾燥効率の向上を期待することができなかった。
また、この換気によって被乾燥面の熱も奪われるため、被乾燥面に対して高出力の赤外線を照射する、あるいは長時間に亘り赤外線を照射し続ける必要があった。
【０００４】
本発明は、このような技術的背景を考慮してなされたものであり、被乾燥面上方の空気の昇温と換気を効率良く行える乾燥装置の提供を課題とする。
【課題を解決するための手段】
【０００５】
上記した技術的課題を解決するため本発明では、以下の構成とした。
すなわち、本発明は、被乾燥面に熱線を照射する照射装置と、被乾燥面の外周部に対応して配置された噴射ノズルと、この噴射ノズルに空気を送り込む送風機と、前記送風機から前記噴射ノズルの開口端を含む経路中に配置された開閉弁と、前記開閉弁を操作して前記被乾燥面外周部への空気の噴射を一時制限する制御装置とを備えることを特徴とする。
【０００６】
この構成によれば、噴射ノズルによる空気の噴射によって、被乾燥面の外周部に空気の帯幕（エアカーテン）が形成される。このため、このエアカーテンの形成によって被乾燥面の上方に空気が滞留し、滞留した空気は照射装置から発せられる熱線と被乾燥面からの輻射熱を受けて短時間に昇温し、被乾燥面の乾燥を促すことになる。また、噴射ノズルから噴射される空気は被乾燥面の外周部に沿って噴射されるため、被乾燥面を不必要に冷却することもなく、これらの相乗効果によって被乾燥面の短時間の乾燥を実現している。また、開閉弁の操作によって空気の噴射が一時制限されると、被乾燥面の外周部に形成されたエアカーテンが開放されるため、このエアカーテンの開放によって被乾燥面上方の空気の換気が促される。
【０００７】
つまり、本構成では、エアカーテンの形成によって被乾燥面上方の空気の昇温を可能にして空気の飽和蒸気量を高めると共に空気の噴射に起因した被乾燥面の冷却を避け、また、溶剤の揮発によって飽和した空気（ガス）を適宜のタイミングで換気することで、被乾燥面の短時間の乾燥を実現している。
【０００８】
なお、上記で被乾燥面とは、塗装面やパテの充填面など種々例示できる。また、噴射ノズルを対応して配置するとは、その噴口が所望の方向に開口した状態で足りる。また、上記で空気の噴射を一時制限するとは、噴射の有無のみならず、単に噴射量を増減させるような状態をも含んでよい。
【０００９】
また、前記噴射ノズルは、被乾燥面の外周部と被乾燥面の中央部の双方に対応して配置され、前記制御装置は、被乾燥面の外周部に対応して配置された噴射ノズルによる空気の噴射を制限するとき、前記被乾燥面の中央部に対応して配置された噴射ノズルによる空気の噴射を実行するように前記開閉弁を制御する構成を備えていてもよい。
【００１０】
この構成によれば、噴射ノズルは被乾燥面の外周部と被乾燥面の中央部に配置され、たとえば、被乾燥面上方の空気を換気する際には、被乾燥面外周部における空気の噴射を停止すると共に被乾燥面中央部において空気の噴射を実行する。よって、被乾燥面中央部の空気は、被乾燥面中央部に配置された噴射ノズルによる空気の噴射によって短時間に換気されることになる。
【００１１】
また、前記制御装置は、前記被乾燥面の中央部への空気の噴射時において、その噴射が間欠した噴射となるように前記開閉弁を制御する構成を備えていてもよい。
【００１２】
この構成によれば、被乾燥面に対して空気の噴射を間欠して行うことで被乾燥面上方の気圧を瞬時に変化させることができる。よって、この気圧の急激な変化に起因して換気の速度が上昇し、また、空気を間欠的に噴射することで、その衝撃波により被乾燥面のゴミや付着物を容易に吹き飛ばすことができる。
【００１３】
また、前記送風機は、吸引した空気を外周部に吐出する回転翼と、この回転翼の外周部を囲むハウジングと、前記吸引した空気を前記回転翼とハウジングの間に確保された幅狭の空隙を通路として前記噴射ノズルに導く通気路とを備える構成であってもよい。
【００１４】
この構成によれば、外気は回転翼の回転によって送風機内に吸引される。また、送風機内に吸引された外気は、回転翼の内部を通り回転翼の外周部に吐出される。また、回転翼の外周部を囲むようにハウジングが設けられており、送風機内に取り込まれた外気は、回転翼とハウジングの間に確保された幅狭の空隙を通り噴射ノズルに導かれる。
【００１５】
また、送風機内に吸引された外気は回転翼の内部で遠心力を受け、ハウジング内壁面との衝突によってハウジング内壁面近傍において高密度の空気層を形成する。この高密度の空気は回転翼の回転によって幅狭の通路内で攪拌される。このため送風機内に吸引された外気は、送風機内への吸引（吸気）に伴う圧縮作用と、遠心力に起因したハウジングとの衝突による圧縮作用と、ハウジングと回転翼の間を通る際の攪拌による摩擦の発生によって昇温し、この高温高圧の空気が噴射ノズルを通じて被乾燥面の外周部に噴射されることになる。よって空気の噴射時において被乾燥面の冷却をさらに抑制でき、また、空気の換気時に高温の空気を即座に供給することができるため、被乾燥面上方の空気を、より効率よく昇温させることが可能になる。
【００１６】
また、前記回転翼は、この回転翼の各翼端に連設された外周壁と、この外周壁の周方向に向かって複数設けられた吐出口と、この外周壁からハウジング側に突出して設けられた加圧翼とを備え、前記加圧翼の端面は、前記外周壁とハウジングとの間に充たされる空気を前記回転翼の回転時に前記ハウジング側に更に押圧する方向に傾斜している構成であってもよい。
【００１７】
この構成によれば、回転翼と共に回転する加圧翼を備え、外周壁とハウジングとの間に
充たされる高密度の空気は、この加圧翼によって更にハウジング側に押圧されながら攪拌される。したがって、送風機内に取り込まれた空気は、これらの相乗効果によって更に昇温する。
【００１８】
また、前記照射装置は、熱線を発する発熱体と、この発熱体から発せられる熱線を前記被乾燥面に向かって反射する反射板と、前記反射板を支持すると共にこの反射板の背後に外部と隔離された空間を形成する背面板とを有する照射装置をさらに備え、前記通気路は、前記反射板の背後に設けられた空間を通り、前記噴射ノズルは、前記反射板を貫通して、この反射板背後の通気路に連通している構成であってもよい。
【００１９】
この構成の乾燥装置によれば、照射装置に設けられる発熱体の背後に反射板が設けられ、さらにこの反射板の背後を覆うように背面板が設けられている。また、送風機から送り出された空気は、反射板と背面板によって外部から隔離された空間を通り、噴射ノズルを通じて被乾燥面に噴射される。このため、送風機から送り出される空気は、反射板の背後を通る過程で反射板の輻射熱を受けてさらに加熱される。
【００２０】
本課題を解決するための手段に記載した事項は、本発明の課題や技術的思想を逸脱しないに限りにおいて可能な限り組み合わせることができる。
【発明の効果】
【００２１】
以上のように本発明によれば、被乾燥面上方の空気の昇温と換気の双方を効率良く行える乾燥装置を提供することができる。
【発明を実施するための最良の形態】
【００２２】
以下、車両の塗装作業を例に本発明の好適な実施の形態を説明する。
本実施の形態に示す乾燥装置１は、図１に示すように塗装面に熱線を照射する複数体の照射装置１０と、高温高圧の空気を各照射装置１０を通じて塗装面に噴射する送風機２０と、噴射のタイミング並びに噴射パターン等を制御するための制御装置３０と、被乾燥面に対して照射装置１０を角度自在に支持する移動式スタンド５０とを備えている。
【００２３】
＜照射装置の説明＞
照射装置１０は、図４に示すように熱線を発する発熱体１１と、発熱体１１の背後に設けられ且つ発熱体１１の周囲を覆うように湾曲した反射板１２と、反射板１２との間に外部と隔離された空間１３を形成するように設けられた背面板１４と、送風機２０から延びる分配ホース２５に連通した温風供給パイプ１５と、反射板１２を貫通して反射板１２背後の温風供給パイプ１５に連通した複数の噴射ノズル１６とを備えている。
【００２４】
発熱体１１は、カーボン発熱板を収容した石英ガラス管で構成されている。また、カーボン発熱板から発せられる熱線は、その背後に設けられた反射板１２で反射されて塗装面に照射される。反射板１２の背後に設けられる背面板１４は、上述の如く反射板１２との間に外部と隔離された空間１３を形成しており、温風供給パイプ１５は、この空間１３の内部であって且つ発熱体１１の長手方向に沿って設けられている。
【００２５】
また、温風供給パイプ１５に連通した噴射ノズル１６は、図２に示すように温風供給パイプ１５の長手方向に等間隔且つ複数設けられ、且つ温風供給パイプ１５に対する噴射ノズル１６の取り付け角度は、隣接した噴射ノズル１６に於いて相違している。より詳しく説明すると、一方の噴射ノズル１６は、その開口端が発熱体１１の背後から発熱体１１の一側方（図４中下方）を向くように固定され、他方の噴射ノズル１６は発熱体１１の背後から発熱体１１の他側方（図４中上方）に開口端が向くように固定されている。
【００２６】
また、各噴射ノズル１６には、図５に示すように電磁駆動式の開閉弁１６ａが組み込まれており、各噴射ノズル１６における噴射の有無は、後述の制御装置３０から出力される開弁信号（開弁電圧）によって管理されている。
【００２７】
＜送風機の説明＞
送風機２０は、送風機２０の外殻を形成しているハウジング２１と、ハウジング２１内に収容された高回転型の電動モータ２２と、この電動モータ２２の回転軸に固定された回転翼２３と、ハウジング２１に形成された排気口２４と、排気口２４から別途設けられる分岐弁５に空気を供給する供給パイプ２６（図２参照）とを備えている。
【００２８】
ハウジング２１は、図７及び図８に示すように両端が開口した円筒形状をなし、電動モータ２２は、その一端からハウジング２１内に収容されている。また、電動モータ２２は、その軸心がハウジング２１の中心線（軸心）と一致した状態でハウジング２１内に固定されている。そして、この電動モータ２２の回転軸に回転翼２３が固定されている。
【００２９】
回転翼２３は、図９に示すように、その中心から回転翼２３の接線方向に延びる複数枚の翼（ブレード）２３ａと、各翼端に連なって設けられた外周壁２３ｂと、この外周壁２３ｂの周方向に並んで開口した複数の吐出口２３ｃと、各吐出口２３ｃの回転方向上流側に設けられた加圧翼２３ｄとを備え、ハウジング２１の他端に設けられた吸気口を通じて回転翼２３内に吸引された外気は、回転翼２３の内部を通じて吐出口２３ｃから排出されることになる。
【００３０】
より詳しく説明すると、ハウジング２１に設けられた吸込口２７を通じて回転翼２３内部に吸い込まれた外気は、回転翼２３の高速回転に起因した遠心力の作用と各翼２３ａとの接触によって回転翼２３前端の中央部から回転翼２３後端の外周部へと押し出され、回転翼２３の外周部に設けられた外周壁２３ｂの吐出口２３ｃから勢い良く外部に吐出されることになる。
【００３１】
また、回転翼２３とハウジング２１の間には、加圧翼２３ｄの回転を許容し得る程度の幅狭の通路２８が確保されており、回転翼２３から勢いよく吹き出す空気は、このハウジング２１と回転翼２３との間に確保された幅狭の通路２８に流れ込む。そして、ハウジング２１内壁面との衝突によって、ハウジング２１の内壁面近傍において高密度の空気層を形成する。
【００３２】
また、ハウジング２１と回転翼２３の間に充たされる高密度の空気は、図９に示すように回転翼２３の回転方向に対して鈍角の斜面（端面）を有する加圧翼２３ｄとの接触によってハウジング２１内壁面側へと更に加圧され、また、幅狭の通路２８内において、加圧翼２３ｄの回転に伴い攪拌及び加圧を繰り返しながら排気口２４側へと送り出されることになる。
【００３３】
つまり、送風機２０内に吸引された外気は回転翼２３の内部を通る過程で遠心力を受けてハウジング２１の壁面近傍において密になり、また、密になった空気は回転翼２３の回転によって幅狭の通路２８内で攪拌及び再度圧縮される。このため吸気口から取り込まれた外気は、送風機２０内への吸引（吸気）に伴う圧縮作用と、遠心力とハウジング２１内壁面との衝突による圧縮作用と、ハウジング２１と回転翼２３の間を通る際の攪拌に起因した摩擦熱の発生によって高温高圧となり、排気口２４からは、高温高圧の空気が排気されることになる。
【００３４】
分岐弁５は、図１０及び図１１に示すように各照射装置１０に至る分配ホース２５に連通した主供給通路５ａと、分岐弁５の外部に通じる補助供給通路５ｂと、これら主供給通
路５ａ及び補助供給通路５ｂを選択的に遮断する弁体５ｃを備えている。そして、排気口２４を経て分岐弁５内に供給される高温高圧の空気を各照射装置１０に対して供給する際には補助供給通路５ｂを遮断し、補助供給通路５ｂに空気を供給する際には、逆に主供給通路５ａ側を弁体５ｃで遮断して空気の供給方向を切り換える仕組みになっている。
【００３５】
＜制御装置の説明＞
制御装置３０は、図５に示すように塗装面の形状や塗装面の寸法を入力するための感圧式の操作パネル３１と、入力された塗装面の情報やタイマ３２の値に基づき各噴射ノズル１６に設けられる開閉弁１６ａの開閉動作を制御するＣＰＵ３３と、所望の開閉弁１６ａに開弁電圧を印可する出力ポート３４等を備えて構成されている。
【００３６】
操作パネル３１上には、図６に示すように平面マトリクス状に区画された領域Ｓが表示されており、この操作パネル３１上に描かれる塗装面の形状等が、ＣＰＵ３３の各種処理に反映されることになる。
【００３７】
ＣＰＵ３３は、入力された塗装面の形状並びにそのときの画面倍率等から換算して塗装面の外縁（外周部）と中央部を推定し、この推定結果に基づき空気を噴射すべきポイントを設定する。そして、当該設定されたポイント並びにタイマ３２の値に基づき、所望の噴射ノズル１６に対して出力ポート３４から適宜のタイミングで開弁電圧を出力する。
【００３８】
なお、空気を噴射すべきポイントの設定については、例えば、図１２のフローチャートに示す処理によって決定されている。
まず、制御装置３０は、操作パネル３１に対する塗装面の形状の入力を受けて、当該入力時の画面倍率を取得し、塗装面の寸法を推定する（Ｓ１０１）。続いて、操作パネル３１上に描かれたラインの有無並びに塗装面の寸法から当該操作パネル３１の各領域Ｓ１，Ｓ２、Ｓｎにおいて塗装面の外周部を推定する（Ｓ１０２）。また、推定した塗装面の外周部から換算して塗装面の中央部を推定する（Ｓ１０３）。
【００３９】
続いて、制御装置３０は、開弁信号を印可すべき噴射ノズル１６として、塗装面の外周部に位置した噴射ノズル１６を第１噴射位置として設定する（Ｓ１０４）。続いて、塗装面の中央部に位置した噴射ノズル１６を第２の噴射位置として設定する（Ｓ１０５）。
【００４０】
このように制御装置３０では、塗装面の形状や寸法から塗装面の外周部と塗装面の中央部を推定して、開弁信号を印可すべき噴射ノズル１６を決定している。
【００４１】
＜移動式スタンドの説明＞
移動式スタンド５０は、塗装面に対して照射装置１０を角度自在に支持するアーム５１と、このアーム５１を上下動可能に支持する支柱５２と、支柱５２の下端に設けられたキャスタを有する脚部５３とを備えている。
【００４２】
また、本実施の形態では、このアーム５１に対して４体の照射装置１０が設けられており、各照射装置１０には、支柱５２に固定された送風機２０から各照射装置１０に延びる分配ホース２５を通じて高温高圧の空気が供給されている。
【００４３】
続いて、上記の構成を有する乾燥装置１の使用方法について、タイマ３２と連動して作動する制御装置３０の説明を踏まえながら詳述する。
【００４４】
まず、作業者は、塗装面に対して４体の照射装置１０を平行且つ等間隔に設置する。続いて、この照射装置１０の配置を基準として、図６に示すように制御装置３０に設けられた操作パネル３１に塗装面の形状を入力する。また、塗装に用いた塗料の種別や塗膜の厚
さ等を考慮してタイマ３２を設定する。
【００４５】
続いて、制御装置３０は、図１３に示すように、タイマ３２の作動開始後、照射装置１０に電力を供給して塗装面の予熱を開始する（Ｓ２０１）。また、塗装面の予熱完了後、照射装置１０による熱線の照射と共に第１噴射位置において空気の噴射を開始する（Ｓ２０２）。
【００４６】
ここで塗装面の外周部には、上述の如く空気の噴射によってエアカーテンＡｉが形成される（図１４参照）。また、エアカーテンＡｉに囲まれた領域内の空気は、照射装置１０から放たれた熱線と、塗装面の輻射熱によって急速に昇温して塗装面を包み込み、塗装面の乾燥を促進させることになる。
また、このとき噴射ノズル１６から噴射された高温高圧の空気も一部エアカーテンＡｉ内に流れ込み、空気の昇温を促進させている。
【００４７】
続いて、制御装置３０は、第１噴射位置での噴射開始後、所定時間経過後に（Ｓ２０３）、第１噴射位置での噴射から第２噴射位置での噴射に切り換える（Ｓ２０４）。なお、第２噴射位置で実行する噴射は、第１噴射位置において実施する噴射に較べて極短い時間で行われる噴射であり、具体的には、塗装面の中央部に対して１秒程度の単噴射を間欠的に数回実行している。
【００４８】
なお、ここで塗装面に着目すると、塗装面の中央部には、エアカーテンＡｉの形成によって奏される温室効果によって溶剤の蒸気を多量に含むガスが滞留している。このため制御装置３０は、噴射位置を第１噴射位置から第２噴射位置に切り換えて塗装面中央部に間欠的に単噴射を実行することで、この塗装面上方に滞留しているガスと新気の入れ替えを行っている。
【００４９】
また、本構成では、単噴射を間欠的に行うことで塗装面上方の気圧を瞬時に低下させることができるため、この気圧の急激な減少を利用して、新気とガスの入れ替えを短時間に終えている。また、高圧の空気を間欠的に噴射するため、塗装面表面のゴミや付着物を容易に吹き飛ばすことができる。
そして、制御装置３０はタイマ３２が停止するまで（Ｓ２０５）、この第１噴射位置に於いての噴射と第２噴射位置に於いての噴射とを数セットに亘り実行して塗装面を乾燥させる。
【００５０】
このように本乾燥装置１では、エアカーテンＡｉの形成によって被乾燥面上方の空気の昇温を可能にして空気の飽和蒸気量を高めると共に空気の噴射に起因した被乾燥面の冷却を避けている。また、溶剤の揮発によって飽和した空気の換気を促し、これらによって被乾燥面を短時間に乾燥させている。
【００５１】
なお、上記の実施の形態は、あくまでも本発明の一実施例であり、その詳細は各種仕様に応じて変更することができる。
上記の実施の形態では、エアカーテンＡｉを形成する第１噴射位置での噴射と、換気を促す第２噴射位置での噴射とを切り換えるように各開閉弁１６ａを制御しているが、例えば、図１６に示すように第１噴射位置において噴射すべき噴射ノズル１６において、その少なくとも一つの噴射を停止することでも塗装面中央部の換気を促すこともできる。つまり、エアカーテンＡｉの少なくとも一部を開放することで、塗装面中央部のガスの換気経路を確保して換気を図る。
【００５２】
また、上記した実施の形態では、被乾燥面に対して４体の照射装置１０を平行且つ等間隔に配置したが、例えば、図１５に示すようにＬ字型の開口部を有する照射装置１０ａを
被乾燥面の外周部に配置して、また、この照射装置１０ａの周囲に沿って噴射ノズル１６を設けて噴射を行うように構成することもできる。この場合には、被乾燥面の直上に照射装置１０が無いものの、被乾燥面の外周部に配置された噴射ノズル１６からの噴射によって被乾燥面の周囲にエアカーテンＡｉが形成されるため、被乾燥面の直上に高温の空気を滞留させることが可能になる。
【００５３】
また、本実施の形態では、送風機２０から照射装置１０に至る経路中に分岐弁５を設けて高温高圧の空気を乾燥装置１外部へと供給可能に構成しているため、例えば、この分岐弁５に設けられる補助供給通路５ｂに低圧塗装ガン等を接続することで、塗装作業に要する機材一式を本乾燥装置１で賄うことが可能になる。
【００５４】
また、本実施の形態では、車両の塗装作業を例に説明を行ったが、本発明の用途は、塗装面の乾燥に限定されず、例えば、車両のパネル面に充填したパテ等の乾燥にも好適に使用することができる。
【００５５】
以上のように本乾燥装置によれば、被乾燥面上方の空気の昇温と換気の双方を効率良く行える乾燥装置を提供することができる。
【図面の簡単な説明】
【００５６】
【図１】本実施の形態に示す乾燥装置の正面図。
【図２】本実施の形態に示す乾燥装置の側面図。
【図３】本実施の形態に示す乾燥装置の背面図。
【図４】本実施の形態に係る照射装置の内部構造を示す断面図。
【図５】本実施の形態に係る乾燥装置の制御系を示すブロック図。
【図６】制御装置に設けられた操作パネルへの入力例を説明するための図。
【図７】本実施の形態に係る送風機の側断面図。
【図８】本実施の形態に係る送風機の縦断面図。
【図９】本実施の形態に係る送風機の加圧翼を示す要部拡大断面図。
【図１０】本実施の形態に係る分岐弁の平面図。
【図１１】本実施の形態に係る分岐弁を分配ホース側から見た図。
【図１２】制御装置における空気を噴射すべきポイントの設定方法を説明するためのフローチャート。
【図１３】乾燥装置使用時の制御装置の処理内容を説明するためのフローチャート図。
【図１４】被乾燥面の乾燥の原理を説明するための原理図。
【図１５】本実施に形態に示す乾燥装置の変形例を示す図。
【図１６】本実施の形態に示す乾燥装置による換気の変更例を示す図。
【符号の説明】
【００５７】
１  乾燥装置
５  分岐弁
５ａ  主供給通路
５ｂ  補助供給通路
５ｃ  弁体
１０  照射装置
１０ａ  照射装置
１１  発熱体
１２  反射板
１３  空間
１４  背面板
１５  温風供給パイプ
１６  噴射ノズル
１６ａ  開閉弁
２０  送風機
２１  ハウジング
２２  電動モータ
２３  回転翼
２３ａ  翼
２３ｂ  外周壁
２３ｃ  吐出口
２３ｄ  加圧翼
２４  排気口
２５  分配ホース
２６  供給パイプ
２７  吸込口
２８  幅狭の通路
３０  制御装置
３１  操作パネル
３２  タイマ
３４  出力ポート
５０  移動式スタンド
５１  アーム
５２  支柱
５３  脚部
Ａｉ  エアカーテン
Ｓ  領域
【図１】
2005172382.tif 000003
【図２】
2005172382.tif 000004
【図３】
2005172382.tif 000005
【図４】
2005172382.tif 000006
【図５】
2005172382.tif 000007
【図６】
2005172382.tif 000008
【図７】
2005172382.tif 000009
【図８】
2005172382.tif 000010
【図９】
2005172382.tif 000011
【図１０】
2005172382.tif 000012
【図１１】
2005172382.tif 000013
【図１２】
2005172382.tif 000014
【図１３】
2005172382.tif 000015
【図１４】
2005172382.tif 000016
【図１５】
2005172382.tif 000017
【図１６】
2005172382.tif 000018